(57)【要約】【課題】ヘッドスピードを速くする長尺のゴルフクラブを提供する。【解決手段】ゴルフクラブ１は、６０度法により測定されるクラブ長さをＬとしたときのＬの値が４５．５インチ以上のゴルフクラブ１であって、シャフト３と、シャフト３の一方端に取り付けられたグリップ２と、シャフト３の他方端に取り付けられたヘッド４とを備えている。グリップ２の上端２ａからゴルフクラブ１の重心Ｇまでの距離をｒとしたときのｒ／Ｌの値が０．６５８以上０．７３２以下である。【選択図】図１
2011235024.tif 000002
【特許請求の範囲】
【請求項１】
６０度法により測定されるクラブ長さをＬとしたときのＬの値が４５．５インチ以上のゴルフクラブであって、
シャフトと、
前記シャフトの一方端に取り付けられたグリップと、
前記シャフトの他方端に取り付けられたヘッドとを備え、
前記グリップの上端から前記ゴルフクラブの重心までの距離をｒとしたときのｒ／Ｌの値が０．６５８以上０．７３２以下である、ゴルフクラブ。
【請求項２】
前記ｒの値が０．７８５ｍ以上０．８６５ｍ以下である、請求項１に記載のゴルフクラブ。
【請求項３】
前記Ｌの値が４６．５インチ以上である、請求項１または２に記載のゴルフクラブ。
【請求項４】
前記ｒ／Ｌの値が０．６９３以上０．７２０以下である、請求項１〜３のいずれかに記載のゴルフクラブ。
【請求項５】
前記ｒの値が０．８１８ｍ以上０．８５０ｍ以下である、請求項１〜４のいずれかに記載のゴルフクラブ。
【請求項６】
前記グリップの上端を回転軸とした場合の前記ゴルフクラブの相当単振り子長をＬｐとしたときのＬｐの値が１．０８２ｍ以上１．０９６ｍ以下である、請求項１〜５のいずれかに記載のゴルフクラブ。
【請求項７】
前記ｒを調整するための錘が前記グリップの上端から０．１ｍ以上０．５ｍ以下の範囲に配置されている、請求項１〜６のいずれかに記載のゴルフクラブ。
【請求項８】
前記錘の質量が１２ｇ以上４０ｇ以下である、請求項７に記載のゴルフクラブ。
【請求項９】
前記錘がタングステン含有プリプレグからなる、請求項７または８に記載のゴルフクラブ。
【発明の詳細な説明】
【技術分野】
【０００１】
本発明はゴルフクラブに関し、特に、いわゆる長尺のゴルフクラブに関するものである。
【背景技術】
【０００２】
ゴルフクラブには飛距離を向上することが求められている。飛距離を向上するためには、ゴルフクラブのヘッドスピードを速くすることが有効である。ゴルフクラブのヘッドスピードを速くするためには、ゴルフクラブのクラブ長さを長くすることが有効である。そのため、ゴルフクラブのクラブ長さは長くなってきている。ゴルフクラブのクラブ長さは、以前では４３インチが主流であったが、現在では４５インチが主流になっている。そして、現在ではゴルフクラブのクラブ長さが４５．５インチ以上のいわゆる長尺のゴルフクラブも使用されている。
【０００３】
単純にゴルフクラブのクラブ長さを長くすると、慣性モーメントが大きくなるためゴルフクラブを振り難くなる。そこで、ゴルフクラブの慣性モーメントを低減させることが提案されている。たとえば、特開２０００−１８５１１９号公報（特許文献１）には、スイングする時に軽く振り廻せるようにするためのゴルフクラブが提案されている。この公報のゴルフクラブでは、集中質量である重錘がグリップ内に付加されている。この重錘は、グリップの回転中心を中心として４ｃｍの範囲内に設けられている。また、この重錘は５ｇ〜１８ｇが最適であると記載されている。これにより、このゴルフクラブの慣性モーメントを低減させている。
【先行技術文献】
【特許文献】
【０００４】
【特許文献１】特開２０００−１８５１１９号公報
【発明の概要】
【発明が解決しようとする課題】
【０００５】
ゴルフクラブのヘッドスピードを速くするためにゴルフクラブのクラブ長さを長くした場合、クラブ長さが４５．５インチ以上に長尺化されると、多くのゴルファーではヘッドスピードが速くならないことがわかった。これはゴルフクラブのクラブ長さが４５．５インチ以上になると、ゴルフクラブの重量が重くなることなどによってゴルフクラブが振り難くなるため、ゴルフクラブの回転速度（回転角速度）が低下することが要因の一つと考えられる。このように単純にゴルフクラブのクラブ長さを長くしただけではヘッドスピードが速くならないということがわかった。
【０００６】
なお、上記公報のゴルフクラブは、ヘッドスピードを速くすることには着目していない。また、上記公報は長尺のゴルフクラブにも着目していない。
【０００７】
本発明は、上記課題を鑑みてなされたものであり、その目的は、ヘッドスピードを速くする長尺のゴルフクラブを提供することである。
【課題を解決するための手段】
【０００８】
本発明のゴルフクラブは、６０度法により測定されるクラブ長さをＬとしたときのＬの値が４５．５インチ以上のゴルフクラブであって、シャフトと、シャフトの一方端に取り付けられたグリップと、シャフトの他方端に取り付けられたヘッドとを備えている。グリップの上端からゴルフクラブの重心までの距離をｒとしたときのｒ／Ｌの値が０．６５８以上０．７３２以下である。
【０００９】
通常、ゴルフクラブを長尺にすればするほどヘッドスピードは上がるといわれているが、本発明者等が検討したところ、必ずしもヘッドスピードが上がらないことがわかった。  
【００１０】
本発明者等は、ゴルフクラブを長尺にした場合でもヘッドスピードを上げる手法について鋭意検討し、ゴルフクラブの重心率を小さくすることによってヘッドスピードを速くすることができるという知見を得た。
【００１１】
以下、この知見を得た経緯について説明する。ゴルフクラブの重心位置と回転中心ＣＯＲとの距離を回転半径ｒ1とすると、ゴルフクラブの運動は時々刻々変化する回転中心ＣＯＲと回転半径ｒ1とで決まる回転運動とすることができる。この回転半径ｒ1について説明する。任意の瞬間における物体の運動状態は、１点回りの回転運動にほかならず、その中心を回転中心ＣＯＲとする。瞬間回転中心ともいう。瞬間回転中心は瞬間速度が０になる点としても定義される。この回転中心ＣＯＲとゴルフクラブの重心との距離を回転半径ｒ1とする。よってこの回転半径ｒ1も時々刻々変化する。
【００１２】
ゴルフクラブのヘッドと回転中心ＣＯＲとの距離を回転長さＬ1とし、ゴルフクラブの重心位置の速度をＶcgとすると、ヘッドスピードＶhは、Ｖh＝Ｌ1／ｒ1×Ｖcgと表すことができる。
【００１３】
スイングを分解して考えると、回転長さＬ1はゴルフクラブが長くなると大きくなるが、回転半径ｒ1も大きくなる。そのため、単純にゴルフクラブのクラブ長さを長くしただけではＬ1／ｒ1が大きくならない。また、本発明者が検討したところ、重心位置の速度Ｖcgはほとんど変わらないことがわかった。そのため、Ｌ1／ｒ1を大きくできれば、ヘッドスピードを上昇することができる。
【００１４】
このＬ1／ｒ1を大きくするためには、Ｌ1を大きくしｒ1を小さくすればよい。つまり、ゴルフクラブを長尺にして、重心位置を手元にしたクラブが有効であることがわかった。すなわち、クラブ長を大きくし、グリップの上端からゴルフクラブの重心までの距離を小さくすることでＬ1／ｒ1を大きくすることができる。
【００１５】
グリップの上端からゴルフクラブの重心までの距離ｒをクラブ長さＬで除した値が重心率ｒ／Ｌである。Ｌ1／ｒ1を大きくすることは、ゴルフクラブのスペックの一つである重心率ｒ／Ｌを小さくすることに相当する。
【００１６】
本発明者は、この知見に基づき重心率に着目し、長尺のゴルフクラブであっても重心率を最適化することによって、ヘッドスピードを速くすることができることを知得した。本発明者は、重心率を最適化し、ヘッドスピードが速くなるように長尺のゴルフクラブを設計できることを見出した。
【００１７】
６０度法は、日本ゴルフ協会が発行するゴルフ規則に定められたクラブ長さの測定方法である。この測定方法では、クラブ長さは、クラブを水平面に置き、ソールを角度６０度の面に当てて測定したときの二つの面の交差点からグリップの上端までの距離と定義されている。また、クラブ長が４５．５インチ以上のゴルフクラブを長尺のゴルフクラブとする。
【００１８】
発明者が鋭意検討したところ、クラブ長さＬが４５．５インチ以上のゴルフクラブにおいて、グリップの上端からゴルフクラブの重心までの距離をｒとしたときの重心率ｒ／Ｌの値が０．６５８以上０．７３２以下であるときに、ヘッドスピードを速くすることができることを知得した。つまり、このゴルフクラブでは、クラブ長さが４５．５インチ以上の長尺のゴルフクラブにおいてヘッドスピードを速くすることができる。
【００１９】
上記のゴルフクラブは、好ましくは、ｒの値が０．７８５ｍ以上０．８６５ｍ以下である。これにより、クラブ長さ４５．５インチ以上の長尺のゴルフクラブにおいてヘッドスピードを速くすることができる。
【００２０】
上記のゴルフクラブは、好ましくは、Ｌの値が４６．５インチ以上である。これにより、クラブ長さを４６．５インチ以上に長尺化してもヘッドスピードを速くすることができる。
【００２１】
上記のゴルフクラブは、好ましくは、ｒ／Ｌの値が０．６９３以上０．７２０以下である。発明者が鋭意検討したところ、長尺のゴルフクラブにおいて、ｒ／Ｌの値が０．６９３以上０．７２０以下であるときに振り易さを向上することができることを知得した。これにより、ヘッドスピードを速くすることができるとともに振り易さを向上することができる。
【００２２】
上記のゴルフクラブは、好ましくは、ｒの値が０．８１８ｍ以上０．８５０ｍ以下である。これにより、振り易さを向上することができる。このため、ヘッドスピードを速くすることができるとともに振り易さを向上することができる。
【００２３】
上記のゴルフクラブは、好ましくは、グリップの上端を回転軸とした場合のゴルフクラブの相当単振り子長をＬｐとしたときのＬｐの値が１．０８２ｍ以上１．０９６ｍ以下である。相当単振り子長は、慣性モーメントを１次モーメントで除した値である。慣性モーメントは、グリップの上端を支点にゴルフクラブを回転させることで示される量である。１次モーメントは、ゴルフクラブの質量にグリップの上端からゴルフクラブの重心までの距離を乗じた値である。
【００２４】
発明者が鋭意検討したところ、長尺のゴルフクラブにおいて、Ｌｐの値が１．０８２ｍ以上１．０９６ｍ以下であるときに、ゴルファーが好き嫌いの評価において好ましいとすることを知得した。これにより、ヘッドスピードを速くすることができるとともにゴルファーから好ましいとの評価を得ることができる。さらに、振り易さを向上することもあわせて実現できる。
【００２５】
上記のゴルフクラブは、好ましくは、ｒを調整するための錘がグリップの上端から０．１ｍ以上０．５ｍ以下の範囲に配置されている。これにより、重心率を最適化してヘッドスピードを速くすることができる。また、錘をグリップの下端に配置することによりゴルファーから好ましいとの評価を得ることができる。また、錘の位置の範囲を選択できるため、設計の自由度を向上することができる。
【００２６】
上記のゴルフクラブは、好ましくは、錘の質量が１２ｇ以上４０ｇ以下である。これにより、重心率を最適化してヘッドスピードを速くすることができる。また、錘の重さの範囲を選択できるため、設計の自由度を向上することができる。
【００２７】
上記のゴルフクラブは、好ましくは、錘がタングステン含有プリプレグからなる。タングステン含有プリプレグは、樹脂の中にタングステン粉末が含有されたものである。ゴルフクラブの製造に使用されているタングステン含有プリプレグを錘として使用することにより、特別な製造装置が必要ないため、生産性を向上することができる。
【発明の効果】
【００２８】
以上説明したように、本発明のゴルフクラブによれば、長尺のゴルフクラブにおいて、ヘッドスピードを速くすることができる。
【図面の簡単な説明】
【００２９】
【図１】本発明の一実施の形態におけるゴルフクラブの概略正面図である。
【図２】ゴルフクラブの回転運動を説明する概略図である。
【図３】実施例１におけるヘッドスピードとグリップの上端からゴルフクラブの重心までの距離との関係を示す図である。
【図４】実施例１におけるヘッドスピードと重心率との関係を示す図である。
【図５】実施例１におけるボール初速とグリップの上端からゴルフクラブの重心までの距離との関係を示す図である。
【図６】実施例１におけるボール初速と重心率との関係を示す図である。
【図７】実施例１における飛距離とグリップの上端からゴルフクラブの重心までの距離との関係を示す図である。
【図８】実施例１における飛距離と重心率との関係を示す図である。
【図９】実施例３における振り易さとグリップの上端からゴルフクラブの重心までの距離との関係を示す図である。
【図１０】実施例３における振り易さと重心率との関係を示す図である。
【図１１】実施例３における振り易さと相当単振り子長との関係を示す図である。
【図１２】実施例３における好き嫌いとグリップの上端からゴルフクラブの重心までの距離との関係を示す図である。
【図１３】実施例３における好き嫌いと重心率との関係を示す図である。
【図１４】実施例３における好き嫌いと相当単振り子長との関係を示す図である。
【発明を実施するための形態】
【００３０】
以下、本発明の一実施の形態について図に基づいて説明する。
図１を参照して、本発明の一実施の形態のゴルフクラブ１は、６０度法により測定されるクラブ長さをＬとしたときのＬの値が４５．５インチ（ｉｎ）以上になるように形成されている。なお、４５．５インチ（ｉｎ）は、１．１５６メートル（ｍ）である。ゴルフクラブ１は、グリップ２と、シャフト３と、ヘッド４とを主に備えている。グリップ２はシャフト３の一方端に取り付けられており、ヘッド４はシャフト３の他方端に取り付けられている。ヘッド４は、打撃面４ａを有している。
【００３１】
グリップ２の上端２ａからゴルフクラブ１の重心Ｇまでの距離ｒをクラブ長さＬで除した重心率ｒ／Ｌの値は０．６５８以上０．７３２以下になるように設定されている。グリップ２の上端２ａからゴルフクラブ１の重心Ｇまでの距離ｒの値は０．７８５ｍ以上０．８６５ｍ以下に設定されている。
【００３２】
また、ゴルフクラブ１のクラブ長さＬの値が４６．５インチ以上に設定されていてもよい。また、重心率ｒ／Ｌの値は、０．６９３以上０．７２０以下に設定されていてもよい。グリップ２の上端２ａからゴルフクラブ１の重心Ｇまでの距離ｒの値は０．８１８ｍ以上０．８５０ｍ以下に設定されていてもよい。
【００３３】
振り易さを向上させる為には、ゴルフクラブ１の相当単振り子長Ｌｐを短くすることが効果的である。なお、本発明の一実施の形態では、実際のスイング分析に従い、ゴルフクラブ１の回転中心としての回転軸５の位置をグリップ２の上端２ａに設定した。グリップ２の上端２ａは、シャフト３の後端に実質的に相当する。
【００３４】
グリップ２の上端２ａを回転軸５とした相当単振り子長Ｌｐ（ｍ）は、グリップ２の上端２ａまわりの慣性モーメントＩ（ｋｇ・ｍ2）を、クラブ質量ｍ（ｋｇ）とグリップ２の上端２ａからゴルフクラブ１の重心Ｇまでの距離ｒ（ｍ）とによってそれぞれ除した値であり、次の第（１）式で表される。
【００３５】
Ｌｐ＝Ｉ／（ｍｒ）  …（１）
ゴルフクラブ１では、グリップ２の上端２ａを回転軸５とした場合のゴルフクラブ１の相当単振り子長Ｌｐの値が１．０８２ｍ以上１．０９６ｍ以下に設定されていてもよい。
【００３６】
ゴルフクラブ１では、グリップ２の上端２ａからゴルフクラブ１の重心Ｇまでの距離ｒを調整するための錘がグリップ２の上端２ａ付近に配置されている。ゴルフクラブ１を長尺化すると、ゴルフクラブ１の質量が重くなる。クラブ質量ｍを小さくすることおよびグリップ２の上端２ａからゴルフクラブ１の重心Ｇまでの距離ｒを小さくすることにより慣性モーメントＩを小さくすることができる。
【００３７】
しかし、実際の設計においては強度の関係上ヘッド４の質量を軽くすることは困難である。そのため、クラブ質量ｍを小さくすることは困難である。したがって、グリップ２の上端２ａからゴルフクラブ１の重心Ｇまでの距離ｒを小さくするために、上述のように錘がグリップ２の上端２ａ付近に配置されている。
【００３８】
たとえば、グリップ２の上端２ａからゴルフクラブ１の重心Ｇまでの距離ｒを調整するための錘がグリップ２の上端２ａから０．１ｍ以上０．５ｍ以下の範囲に配置されていてもよい。この場合もグリップ２の上端２ａからゴルフクラブ１の重心Ｇまでの距離ｒを小さくすることができる。
【００３９】
錘の質量は１２ｇ以上４０ｇ以下であってもよい。より具体的には、錘の質量は、１２ｇ、２０ｇ、２２ｇ、３２ｇ、４０ｇであってもよい。錘がタングステン含有プリプレグからなっていてもよい。より具体的には、タングステン含有プリプレグがシャフト３に積層されていてもよい。
【００４０】
本発明の一実施の形態のゴルフクラブの作用効果について説明する。
発明者が鋭意検討したところ、本発明の一実施の形態のゴルフクラブによれば、長尺のゴルフクラブにおいてもヘッドスピードを速くすることができることを知得した。理由は、以下の通りである。
【００４１】
本発明の一実施の形態のゴルフクラブ１は、６０度法により測定されるクラブ長さをＬとしたときのＬの値が４５．５インチ以上のゴルフクラブ１であって、シャフト３と、シャフト３の一方端に取り付けられたグリップ２と、シャフト３の他方端に取り付けられたヘッド４とを備えている。グリップ２の上端２ａからゴルフクラブ１の重心Ｇまでの距離をｒとしたときのｒ／Ｌの値が０．６５８以上０．７３２以下である。
【００４２】
発明者が鋭意検討したところ、クラブ長さＬが４５．５インチ以上のゴルフクラブ１において、グリップ２の上端２ａからゴルフクラブ１の重心Ｇまでの距離をｒとしたときのｒ／Ｌの値が０．６５８以上０．７３２以下であるときに、ヘッドスピードを速くすることができることを知得した。
【００４３】
重心率ｒ／Ｌの値が０．６５８未満では、錘の質量が大きくなるためゴルフクラブ１のクラブ質量ｍが重くなる。このため、慣性モーメントＩが大きくなる。そのため、ヘッドスピードを速くすることができない。したがって、重心率ｒ／Ｌの値は０．６５８以上に設定されている。また、発明者は、重心率ｒ／Ｌの値が０．７３２より大きくなるとヘッドスピードが低下する傾向があることを見出した。したがって、重心率ｒ／Ｌの値は０．７３２以下に設定されている。
【００４４】
ゴルフクラブ１では、グリップ２の上端２ａからゴルフクラブ１の重心Ｇまでの距離をｒとしたときの重心率ｒ／Ｌの値を０．６５８以上０．７３２以下にすることにより、クラブ長さＬが４５．５インチ以上の長尺のゴルフクラブ１においてヘッドスピードを速くすることができる。
【００４５】
本発明の一実施の形態のゴルフクラブ１は、グリップ２の上端２ａからゴルフクラブ１の重心Ｇまでの距離ｒの値が０．７８５ｍ以上０．８６５ｍ以下であることが好ましい。ｒの値が０．７８５ｍ未満では、錘の質量が大きくなるためゴルフクラブ１のクラブ質量ｍが重くなる。このため、慣性モーメントＩが大きくなる。そのため、ヘッドスピードを速くすることができない。したがって、ｒの値は０．７８５ｍ以上に設定されている。また、発明者は、ｒの値が０．８６５ｍより大きくなるとヘッドスピードが低下する傾向があることを見出した。したがって、ｒの値は０．８６５ｍ以下に設定されている。
【００４６】
本発明の一実施の形態のゴルフクラブ１では、グリップ２の上端２ａからゴルフクラブ１の重心Ｇまでの距離ｒの値が０．７８５ｍ以上０．８６５ｍ以下にすることにより、クラブ長さＬが４５．５インチ以上の長尺のゴルフクラブ１においてヘッドスピードを速くすることができる。
【００４７】
本発明の一実施の形態のゴルフクラブ１は、クラブ長さＬの値が４６．５インチ以上であることが好ましい。本発明の一実施の形態のゴルフクラブ１では、クラブ長さＬの値が４６．５インチ以上でもヘッドスピードを速くすることができることを見出した。これにより、クラブ長さＬを４６．５インチ以上に長尺化してもヘッドスピードを速くすることができる。
【００４８】
本発明の一実施の形態のゴルフクラブ１は、重心率ｒ／Ｌの値が０．６９３以上０．７２０以下であることが好ましい。発明者が鋭意検討したところ、長尺のゴルフクラブにおいて、重心率ｒ／Ｌの値が０．６９３以上０．７２０以下であるときに振り易さを向上することができることを知得した。
【００４９】
これにより、本発明の一実施の形態のゴルフクラブ１では、重心率ｒ／Ｌの値を０．６９３以上０．７２０以下にすることにより、ヘッドスピードを速くすることができるとともに振り易さを向上することができる。したがって、ヘッドスピードを速くすることと振り易さを向上することを両立できる。
【００５０】
本発明の一実施の形態のゴルフクラブ１は、グリップ２の上端２ａからゴルフクラブ１の重心Ｇまでの距離ｒの値が０．８１８ｍ以上０．８５０ｍ以下であることが好ましい。これにより、本発明の一実施の形態のゴルフクラブ１では、ｒの値を０．８１８ｍ以上０．８５０ｍ以下にすることにより振り易さを向上することができる。このため、ヘッドスピードを速くすることができるとともに振り易さを向上することができる。
【００５１】
本発明の一実施の形態のゴルフクラブ１は、グリップ２の上端２ａを回転軸５とした場合のゴルフクラブ１の相当単振り子長をＬｐとしたときのＬｐの値が１．０８２ｍ以上１．０９６ｍ以下であることが好ましい。
【００５２】
発明者が鋭意検討したところ、長尺のゴルフクラブ１において、相当単振り子長Ｌｐの値が１．０８２ｍ以上１．０９６ｍ以下であるときに、ゴルファーが好き嫌いの評価において好ましいとすることを知得した。これにより、本発明の一実施の形態のゴルフクラブ１では、相当単振り子長Ｌｐの値を１．０８２ｍ以上１．０９６ｍ以下にすることにより、ヘッドスピードを速くすることができるとともにゴルファーから好ましいとの評価を得ることができる。さらに、振り易さを向上することもあわせて実現できる。
【００５３】
本発明の一実施の形態のゴルフクラブ１は、ｒを調整するための錘がグリップ２の上端２ａから０．１ｍ以上０．５ｍ以下の範囲に配置されていることが好ましい。これにより、グリップ２の上端２ａからゴルフクラブ１の重心Ｇまでの距離ｒを小さくすることにより、重心率ｒ／Ｌを最適化してヘッドスピードを速くすることができる。また、錘をグリップの下端に配置することによりゴルファーから好ましいとの評価を得ることができる。また、錘の位置の範囲を選択できるため、設計の自由度を向上することができる。
【００５４】
本発明の一実施の形態のゴルフクラブは、錘の質量が１２ｇ以上４０ｇ以下であることが好ましい。これにより、グリップ２の上端２ａからゴルフクラブ１の重心Ｇまでの距離ｒを小さくすることにより、重心率ｒ／Ｌを最適化してヘッドスピードを速くすることができる。また、錘の質量の範囲を選択できるため、設計の自由度を向上することができる。
【００５５】
本発明の一実施の形態のゴルフクラブ１は、錘がタングステン含有プリプレグからなることが好ましい。これにより、ゴルフクラブ１の製造に使用されているタングステン含有プリプレグを錘として使用することにより、特別な製造装置が必要ないため、生産性を向上することができる。
【実施例】
【００５６】
以下、本発明の実施例について説明する。なお、上記と同一または相当する部分に同一の参照符号を付し、その説明を繰り返さない場合がある。
【００５７】
（実施例１）
最初に実施例１の前提を示す。ここでは、回転半径、回転長さなどの着眼点より従来の長尺のゴルフクラブのヘッドスピードを検討した。これにより、通常、ゴルフクラブを長尺にすればするほどヘッドスピードは上がるといわれているが、ゴルフクラブを長尺化しても必ずしもヘッドスピードが上がらないことを検証した。発明者等は、ゴルフクラブの重心率を小さくすることによってヘッドスピードを速くすることができることを検証した。以下、このことを詳細に説明する。
【００５８】
まず、表１に示されたスペックを備えたウッド型ゴルフクラブを比較例Ｘ、Ｙ、Ｚとしてそれぞれ従来の設計方法で作成した。なお、図１および図２に示されたゴルフクラブの符号は、表１〜３の比較例における同一の符号に対応する。
【００５９】
【表１】
2011235024.tif 000003
【００６０】
表１の各符号について説明する。Ｌはクラブ長さであり、Ｌ（ｉｎ）はインチを単位として示されており、Ｌ（ｍ）はメートルを単位として示されている。ｍ（ｋｇ）はクラブ質量である。ｒはグリップの上端からゴルフクラブの重心までの距離である。Ｉｇ（ｋｇ・ｍ2）は重心位置まわりの慣性モーメントである。Ｉ（ｋｇ・ｍ2）はグリップの上端まわりの慣性モーメントである。ｍｒ（ｋｇ・ｍ）は１次モーメントである。Ｌｐ（ｍ）は相当単振り子長である。ｒ／Ｌは重心率である。
【００６１】
次に、表２および表３に示された各測定項目に関して、比較例Ｘ、Ｙ、Ｚのそれぞれについて被験者Ａ〜Ｆの６名でスイング計測を実施した。６名の被験者は全て分析能力の高いゴルファーであり、シングルプレイヤーも含まれている。より詳細には、Ｍｏｔｉｏｎ  Ａｎａｌｙｓｉｓ社製モーションキャプチャシステム「ＭＡＣ  ３Ｄ  Ｓｙｓｔｅｍ」を用いて比較例Ｘ、Ｙ、Ｚの各ゴルフクラブについて計測を実施した。表２および表３の各測定値は、インパクト直前１０ｍｓ（ミリ秒）時の値である。
【００６２】
【表２】
2011235024.tif 000004
【００６３】
【表３】
2011235024.tif 000005
【００６４】
表２および表３の各符号について説明する。図２を参照して、回転角速度ｉｍｐａｃｔω（ｒａｄ／ｓ）は回転中心ＣＯＲまわりのゴルフクラブの回転角速度である。回転半径ｒ1（ｍ）はゴルフクラブの重心位置と回転中心ＣＯＲとの距離である。回転長さＬ1（ｍ）は、ゴルフクラブのヘッドと回転中心ＣＯＲとの距離である。重心速度Ｖcg（ｍ／ｓ）は、ゴルフクラブの重心位置の速度であり、Ｖcg＝ω×ｒ1で表される。ヘッドスピードＶh（ｍ／ｓ）は、ゴルフクラブのヘッドスピードであり、Ｖh＝Ｌ1／ｒ1×Ｖcgで表される。
【００６５】
表２を参照して、比較例Ｘと比較例Ｙとを比較すると、ヘッドスピードＶhは平均で３７．２ｍ／ｓから３８．３ｍ／ｓへと１．１ｍ／ｓ上昇することがわかった。これにより、クラブ長さＬが４５インチの比較例Ｘと比較して、クラブ長さＬが４６インチの比較例Ｙではヘッドスピードが上昇することがわかった。
【００６６】
一方、比較例Ｙと比較例Ｚとを比較すると、ヘッドスピードＶhは平均で３８．３ｍ／ｓと３８．４ｍ／ｓでほどんど差がないことがわかった。これにより、クラブ長Ｌさを比較例Ｙの４６インチから比較例Ｚの４７．５インチに長くしてもヘッドスピードが速くなるという効果が見られないことがわかった。
【００６７】
図２を参照して、上述のようにゴルフクラブ１の運動は時々刻々変化する回転中心ＣＯＲと回転半径ｒ1とで決まる回転運動とすることができる。スイングを分解して考えると、回転長さＬ1はゴルフクラブ１が長くなると大きくなるが、回転半径ｒ1も大きくなるため、単純にゴルフクラブのクラブ長さを長くしただけではＬ1／ｒ1が大きくならない。
【００６８】
また表２に示すように、比較例Ｙと比較例Ｚとは重心位置の速度（重心速度）Ｖcgはほとんど変わらないことがわかった。そのため、Ｌ1／ｒ1を大きくできれば、ヘッドスピードを上昇することができる。このＬ1／ｒ1を大きくするためには、ゴルフクラブ１を長尺にして、重心位置を手元にしたクラブが有効であることがわかった。
【００６９】
図１を参照して、グリップの上端からゴルフクラブの重心までの距離ｒをクラブ長さＬで除した値が重心率ｒ／Ｌであるので、Ｌ1／ｒ1を大きくすることは重心率ｒ／Ｌを小さくすることに相当する。このようにして、本発明者等は、ゴルフクラブ１の重心率ｒ／Ｌを小さくすることによってヘッドスピードを速くすることができることを検証した。
【００７０】
次に、本発明の実施例１について説明する。実施例１では、上記検証に基づいて、重心率などの着眼点より長尺のゴルフクラブのヘッドスピード、ボール初速、飛距離などを検討した。これにより、重心率などを最適化することによりヘッドスピードなどを向上できることを検証した。実施例Ｂ、Ｅ、Ｆ、Ｇは本発明の実施例である。比較例Ａ、Ｈ、Ｉは本発明に対する比較例である。
【００７１】
表４に示されたスペックを備えたウッド型ゴルフクラブを実施例および比較例としてＡ、Ｂ、Ｅ、Ｆ、Ｇ、Ｈ、Ｉまでそれぞれ作成した。なお、図１に示されたゴルフクラブの符号は、表４の実施例および比較例における同一の符号に対応する。実施例Ｂ、Ｅ、Ｆ、Ｇでは、それぞれ錘はグリップの上端付近に配置されている。比較例Ａ、Ｈ、Ｉでは、それぞれ錘は付加されていない。
【００７２】
【表４】
2011235024.tif 000006
【００７３】
表５に示された各測定項目について、実施例および比較例Ａ、Ｂ、Ｅ、Ｆ、Ｇ、Ｈ、Ｉのそれぞれを測定した。より詳細には、ミズノ株式会社製の打球分析装置「ピタゴラス」を用いて実施例および比較例Ａ、Ｂ、Ｅ、Ｆ、Ｇ、Ｈ、Ｉの各ゴルフクラブでボールを打って各測定項目について測定した。
【００７４】
【表５】
2011235024.tif 000007
【００７５】
表５の各測定項目について説明する。ヘッドＳＰ（ｍ／ｓ）はゴルフクラブのヘッドスピードである。ボールＳＰ（ｍ／ｓ）はゴルフクラブで打たれた際のボール初速である。打ち出し上下（°）はゴルフクラブで打たれた際のボールの上下の角度である。打ち出し左右（°）はゴルフクラブで打たれた際のボールの左右の角度である。なお、飛球線に対して右方向がプラスで示されており、左方向がマイナスで示されている。Ｂスピン（ｒｐｍ）はボールのバックスピンの回転数である。ミート率はボールＳＰをヘッドＳＰで除した値である。飛距離（ｙａｒｄ）はボールの飛距離である。
【００７６】
図３は、表４に示されるｒと表５に示されるヘッドスピードとの関係を示している。図４は、表４に示されるｒ／Ｌと表５に示されるヘッドスピードとの関係を示している。表４および表５ならびに図３および図４を参照して、実施例Ｂ、Ｅ、Ｆ、Ｇのヘッドスピード（ｍ／ｓ）は、Ｌ（ｉｎ）が４５インチの比較例Ａ、Ｈと比較して大幅に速くなっている。
【００７７】
これにより、ｒ／Ｌの値を０．６５８以上０．７３２以下にすることで、Ｌ（ｉｎ）が４５インチの場合と比較してヘッドスピード（ｍ／ｓ）を大幅に速くできることがわかった。また、ｒ／Ｌの値を０．６５８以上０．７３２以下にすることで、Ｌ（ｉｎ）が４５．５インチより長い場合でもヘッドスピード（ｍ／ｓ）を速くできることがわかった。
【００７８】
また、ｒ（ｍ）の値を０．７８５ｍ以上０．８６５ｍ以下にすることで、Ｌ（ｉｎ）が４５インチの場合と比較してヘッドスピード（ｍ／ｓ）を大幅に速くできることがわかった。ｒ（ｍ）の値を０．７８５ｍ以上０．８６５ｍ以下にすることで、Ｌ（ｉｎ）が４５．５インチより長い場合でもヘッドスピード（ｍ／ｓ）を速くできることがわかった。
【００７９】
図５は、表４に示されるｒと表５に示されるボール初速との関係を示している。図６は、表４に示されるｒ／Ｌと表５に示されるボール初速との関係を示している。表４および表５ならびに図５および図６を参照して、実施例Ｂ、Ｅ、Ｆ、Ｇのボール初速（ｍ／ｓ）は、Ｌ（ｉｎ）が４５インチの比較例Ａ、Ｈと比較して大幅に速くなっている。
【００８０】
これにより、ｒ／Ｌの値を０．６５８以上０．７３２以下にすることで、Ｌ（ｉｎ）が４５インチの場合と比較してボール初速（ｍ／ｓ）を大幅に速くできることがわかった。また、ｒ／Ｌの値を０．６５８以上０．７３２以下にすることで、Ｌ（ｉｎ）が４５．５インチより長い場合でもボール初速（ｍ／ｓ）を速くできることがわかった。
【００８１】
また、ｒ（ｍ）の値を０．７８５ｍ以上０．８６５ｍ以下にすることで、Ｌ（ｉｎ）が４５インチの場合と比較してボール初速（ｍ／ｓ）を大幅に速くできることがわかった。ｒ（ｍ）の値を０．７８５ｍ以上０．８６５ｍ以下にすることで、Ｌ（ｉｎ）が４５．５インチより長い場合でもボール初速（ｍ／ｓ）を速くできることがわかった。
【００８２】
図７は、表４に示されるｒと表５に示される飛距離との関係を示している。図８は、表４に示されるｒ／Ｌと表５に示される飛距離との関係を示している。表４および表５ならびに図７および図８を参照して、実施例Ｂ、Ｅ、Ｆ、Ｇの飛距離（ｙａｒｄ）は、Ｌ（ｉｎ）が４５インチの比較例Ａ、Ｈと比較して大幅に大きくなっている。
【００８３】
これにより、ｒ／Ｌの値を０．６５８以上０．７３２以下にすることで、Ｌ（ｉｎ）が４５インチの場合と比較して飛距離（ｙａｒｄ）を大幅に大きくできることがわかった。また、ｒ／Ｌの値を０．６５８以上０．７３２以下にすることで、Ｌ（ｉｎ）が４５．５インチより長い４７インチの場合と比較しても飛距離（ｙａｒｄ）を大きくできることがわかった。
【００８４】
また、ｒ（ｍ）の値を０．７８５ｍ以上０．８６５ｍ以下にすることで、Ｌ（ｉｎ）が４５インチの場合と比較して飛距離（ｙａｒｄ）を大幅に大きくできることがわかった。ｒ（ｍ）の値を０．７８５ｍ以上０．８６５ｍ以下にすることで、Ｌ（ｉｎ）が４５．５インチより長い場合でも飛距離（ｙａｒｄ）を大きくできることがわかった。
【００８５】
上記より、ヘッドスピード、ボール初速、飛距離とも、実施例Ｂ、Ｅ、Ｆ、Ｇは、比較例Ａ、Ｈ、Ｉと比較して優れていることが分かった。実施例Ｂ、Ｅ、Ｆ、Ｇは、Ｌ（ｉｎ）が４５．５〜４８インチである。そのため、Ｌ（ｉｎ）が４５．５インチ以上の場合には、少なくとも測定した４８インチまでは同様の傾向があると考えられる。
【００８６】
また、実施例Ｂ、Ｆ、ＧはＬ（ｉｎ）が４６．５インチ以上である。そのため、Ｌ（ｉｎ）が４６．５インチ以上であってもヘッドスピードを速くすることができることがわかった。あわせて、ボール初速を速くすることができ、飛距離を大きくすることができることもわかった。
【００８７】
（実施例２）
次に、本発明の実施例２について説明する。実施例２では、回転半径、回転長さなどの着眼点より本実施例の長尺のゴルフクラブのヘッドスピードを検討した。
【００８８】
表６に示された各測定項目に関して、上記実施例１で説明した比較例Ａ、実施例Ｂ、実施例Ｅの各ゴルフクラブについて被験者Ａ、Ｂ、Ｃ、Ｅ、Ｆの５名でスイング計測を実施した。５名の被験者は全て分析能力の高いゴルファーであり、シングルプレイヤーも含まれている。より詳細には、上記と同様にＭｏｔｉｏｎ  Ａｎａｌｙｓｉｓ社製モーションキャプチャシステム「ＭＡＣ  ３Ｄ  Ｓｙｓｔｅｍ」を用いて比較例Ａ、実施例Ｂ、実施例Ｅの各ゴルフクラブについて計測を実施した。
【００８９】
【表６】
2011235024.tif 000008
【００９０】
表６を参照して、実施例Ｂのヘッドスピードは比較例Ａと比較して平均で１．３ｍ／ｓ上昇することがわかった。また実施例Ｅのヘッドスピードは比較例Ａと比較して平均で２．９ｍ／ｓ上昇することがわかった。
【００９１】
この理由は以下のように考察される。実施例Ｂはクラブ長さが４７インチであり、実施例Ｅはクラブ長さが４８インチであるが、表４に示されるｒを比較例Ａに対して小さくした効果があり、実施例Ｂおよび実施例Ｅは比較例Ａに比して回転半径ｒ1が小さくなった。この影響もあり、実施例Ｂおよび実施例Ｅは、比較例Ａと比較してヘッドスピードが上昇した。これにより、本実施例のゴルフクラブではクラブ長さが４７インチおよび４８インチの場合でもヘッドスピードを上昇できることを検証した。
【００９２】
（実施例３）
次に、本発明の実施例３について説明する。実施例Ｋ、Ｌ、Ｍ、Ｎは本発明の実施例である。比較例Ｊは本発明に対する比較例である。
【００９３】
表７に示されたスペックを備えたウッド型ゴルフクラブを実施例および比較例としてＪ〜Ｎまでそれぞれ作成した。なお、図１に示されたゴルフクラブの符号は、表７における同一の符号に対応する。比較例Ｊでは錘は配置されていない。実施例Ｋ、Ｌでは錘はグリップの上端に配置されている。実施例Ｋでは錘の質量は４０ｇである。実施例Ｌでは錘の質量は２０ｇである。実施例Ｍ、Ｎでは、錘はグリップの下端に配置されている。より詳細には、グリップ長さが２７０ｍｍであるため、錘はグリップの上端から２７０ｍｍ〜３００ｍｍの位置に３０ｍｍ幅で配置されている。実施例Ｍでは錘の質量は４０ｇである。実施例Ｎでは錘の質量は２０ｇである。
【００９４】
【表７】
2011235024.tif 000009
【００９５】
表８に示された各官能評価項目について、実施例および比較例Ｊ〜Ｎのそれぞれを評価した。より詳細には、１２名の被験者が実施例および比較例Ｊ〜Ｎの各ウッド型ゴルフクラブでそれぞれ５球ずつ打った平均値で評価した。この１２名の被験者には、被験者として分析能力の高いプロゴルファーが含まれている。
【００９６】
【表８】
2011235024.tif 000010
【００９７】
官能評価項目は、振り易さ、タイミング、好き嫌いの３項目である。官能評価方法としては、官能検査の最も代表的な一対比較法を用いた。各官能評価項目について、７；大変良い−６；良い−５；どちらかというと良い−４；どちらともいえない−３；どちらかというと悪い−２；悪い−１；大変悪い、という７段階で評価した。
【００９８】
振り易さについては、振り易い方を評価が高くなるようにした。タイミングは、取り易い方を評価が高くなるようにした。好き嫌いは、好きの方を評価が高くなるようにした。
【００９９】
図９は、表７に示されるｒと表８に示される振り易さとの関係を示している。図１０は、表７に示されるｒ／Ｌと表８に示される振り易さとの関係を示している。表７および表８ならびに図９および図１０を参照して、振り易さの評価については、実施例Ｌ、Ｍ、Ｎは、比較例Ｊおよび実施例Ｋと比較して大幅に高くなっている。
【０１００】
これにより、ｒ／Ｌの値を０．６９３以上０．７２０以下にすることで、振り易さを大幅に向上することができることがわかった。また、ｒの値を０．８１８ｍ以上０．８５０ｍ以下にすることで振り易さを大幅に向上することができることがわかった。
【０１０１】
図１１は、表７に示されるＬｐと表８に示される振り易さとの関係を示している。表７および図１１を参照して、振り易さの評価については、実施例Ｍ、Ｎは、比較例Ｊおよび実施例Ｋと比較して大幅に高くなっており、実施例Ｌと比較しても高くなっている。これにより、Ｌｐの値を１．０８２ｍ以上１．０９８ｍ以下にすることで、さらに振り易さを向上することができることがわかった。
【０１０２】
図１２は、表７に示されるｒと表８に示される好き嫌いとの関係を示している。図１３は、表７に示されるｒ／Ｌと表８に示される好き嫌いとの関係を示している。図１４は、表７に示されるＬｐと表８に示される好き嫌いとの関係を示している。表７および表８ならびに図１４を参照して、好き嫌いの評価については、実施例Ｍは、比較例Ｊおよび実施例Ｋ、Ｌと比較して大幅に高くなっている。また、実施例Ｍは、実施例Ｎと比較しても高くなっている。
【０１０３】
これにより、Ｌｐの値を１．０８２ｍ以上にすることで、好き嫌いの評価を大幅に高くすることができることがわかった。また、Ｌｐと好き嫌いの評価とについて回帰直線を計算すると、回帰直線は次の第（２）式で表される。なお、ｙが好き嫌いの評価に該当し、ｘがＬｐに該当する。
【０１０４】
ｙ＝２８．０３２ｘ＋３５．０９６  …（２）
この場合、決定係数Ｒ2＝０．７５０７となり、相関係数Ｒ＝０．８６６４となり、信頼性の高い値となる。第（２）式に基づいて、好き嫌いの評価について好ましい評価としてｙ＝４で計算すると、ｘ＝１．０９６となる。これにより、Ｌｐの値を１．０９６以下にすることで、好ましい評価を得ることができることがわかった。
【０１０５】
また、実施例Ｍ、Ｎとでは、実施例Ｋ、Ｌと比較して好き嫌いの評価が大幅に高くなっている。これにより、グリップの上端に錘を配置するより、グリップの下端に錘を配置した方が好き嫌いの評価が大幅に高くなることがわかった。
【０１０６】
また、錘をグリップの上端から０．１ｍ以上０．５ｍ以下の範囲に配置した。また、錘の質量は、１２ｇ、２０ｇ、２２ｇ、３２ｇ、４０ｇを採用した。また、錘としてタングステン含有プリプレグを採用した。これらの場合、上記と同様の結果が得られることがわかった。また、錘としてタングステン含有プリプレグを採用した場合、タングステン含有プリプレグをシャフトに積層させてゴルフクラブを製造した。このように、錘としてタングステン含有プリプレグを採用した場合、従来のゴルフクラブと同様の製造方法によりゴルフクラブを製造することができることがわかった。
【０１０７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【０１０８】
本発明は、いわゆる長尺のゴルフクラブに特に有利に適用され得る。
【符号の説明】
【０１０９】
１  ゴルフクラブ、２  グリップ、２ａ  上端、３  シャフト、４  ヘッド、４ａ  打撃面、５  回転軸、Ｇ  重心、Ｉ  慣性モーメント、Ｌｐ  相当単振り子長、ｍ  クラブ質量、ｒ  グリップの上端からゴルフクラブの重心までの距離、ｒ／Ｌ  重心率。
【図１】
2011235024.tif 000011
【図２】
2011235024.tif 000012
【図３】
2011235024.tif 000013
【図４】
2011235024.tif 000014
【図５】
2011235024.tif 000015
【図６】
2011235024.tif 000016
【図７】
2011235024.tif 000017
【図８】
2011235024.tif 000018
【図９】
2011235024.tif 000019
【図１０】
2011235024.tif 000020
【図１１】
2011235024.tif 000021
【図１２】
2011235024.tif 000022
【図１３】
2011235024.tif 000023
【図１４】
2011235024.tif 000024
【手続補正書】
【提出日】平成23年6月8日(2011.6.8)
【手続補正１】
【補正対象書類名】明細書
【補正対象項目名】００２３
【補正方法】変更
【補正の内容】
【００２３】
上記のゴルフクラブは、好ましくは、グリップの上端を回転軸とした場合のゴルフクラブの相当単振り子長をＬｐとしたときのＬｐの値が１．０８２ｍ以上１．１０９ｍ以下である。相当単振り子長は、慣性モーメントを１次モーメントで除した値である。慣性モーメントは、グリップの上端を支点にゴルフクラブを回転させることで示される量である。１次モーメントは、ゴルフクラブの質量にグリップの上端からゴルフクラブの重心までの距離を乗じた値である。
【手続補正２】
【補正対象書類名】明細書
【補正対象項目名】００２４
【補正方法】変更
【補正の内容】
【００２４】
発明者が鋭意検討したところ、長尺のゴルフクラブにおいて、Ｌｐの値が１．０８２ｍ以上１．１０９ｍ以下であるときに、ゴルファーが好き嫌いの評価において好ましいとすることを知得した。これにより、ヘッドスピードを速くすることができるとともにゴルファーから好ましいとの評価を得ることができる。さらに、振り易さを向上することもあわせて実現できる。
【手続補正３】
【補正対象書類名】明細書
【補正対象項目名】００３５
【補正方法】変更
【補正の内容】
【００３５】
Ｌｐ＝Ｉ／（ｍｒ）  …（１）
ゴルフクラブ１では、グリップ２の上端２ａを回転軸５とした場合のゴルフクラブ１の相当単振り子長Ｌｐの値が１．０８２ｍ以上１．１０９ｍ以下に設定されていてもよい。
【手続補正４】
【補正対象書類名】明細書
【補正対象項目名】００５１
【補正方法】変更
【補正の内容】
【００５１】
本発明の一実施の形態のゴルフクラブ１は、グリップ２の上端２ａを回転軸５とした場合のゴルフクラブ１の相当単振り子長をＬｐとしたときのＬｐの値が１．０８２ｍ以上１．１０９ｍ以下であることが好ましい。
【手続補正５】
【補正対象書類名】明細書
【補正対象項目名】００５２
【補正方法】変更
【補正の内容】
【００５２】
発明者が鋭意検討したところ、長尺のゴルフクラブ１において、相当単振り子長Ｌｐの値が１．０８２ｍ以上１．１０９ｍ以下であるときに、ゴルファーが好き嫌いの評価において好ましいとすることを知得した。これにより、本発明の一実施の形態のゴルフクラブ１では、相当単振り子長Ｌｐの値を１．０８２ｍ以上１．１０９ｍ以下にすることにより、ヘッドスピードを速くすることができるとともにゴルファーから好ましいとの評価を得ることができる。さらに、振り易さを向上することもあわせて実現できる。
【手続補正６】
【補正対象書類名】明細書
【補正対象項目名】０１０４
【補正方法】変更
【補正の内容】
【０１０４】
ｙ＝−２８．０３２ｘ＋３５．０９６  …（２）
この場合、決定係数Ｒ2＝０．７５０７となり、相関係数Ｒ＝０．８６６４となり、信頼性の高い値となる。第（２）式に基づいて、好き嫌いの評価について好ましい評価としてｙ＝４で計算すると、ｘ＝１．１０９となる。これにより、Ｌｐの値を１．１０９以下にすることで、好ましい評価を得ることができることがわかった。
【手続補正７】
【補正対象書類名】特許請求の範囲
【補正対象項目名】全文
【補正方法】変更
【補正の内容】
【特許請求の範囲】
【請求項１】
６０度法により測定されるクラブ長さをＬとしたときのＬの値が４５．５インチ以上のゴルフクラブであって、
シャフトと、
前記シャフトの一方端に取り付けられたグリップと、
前記シャフトの他方端に取り付けられたヘッドとを備え、
前記グリップの上端から前記ゴルフクラブの重心までの距離をｒとしたときのｒ／Ｌの値が０．６５８以上０．７３２以下である、ゴルフクラブ。
【請求項２】
前記ｒの値が０．７８５ｍ以上０．８６５ｍ以下である、請求項１に記載のゴルフクラブ。
【請求項３】
前記Ｌの値が４６．５インチ以上である、請求項１または２に記載のゴルフクラブ。
【請求項４】
前記ｒ／Ｌの値が０．６９３以上０．７２０以下である、請求項１〜３のいずれかに記載のゴルフクラブ。
【請求項５】
前記ｒの値が０．８１８ｍ以上０．８５０ｍ以下である、請求項１〜４のいずれかに記載のゴルフクラブ。
【請求項６】
前記グリップの上端を回転軸とした場合の前記ゴルフクラブの相当単振り子長をＬｐとしたときのＬｐの値が１．０８２ｍ以上１．１０９ｍ以下である、請求項１〜５のいずれかに記載のゴルフクラブ。
【請求項７】
前記ｒを調整するための錘が前記グリップの上端から０．１ｍ以上０．５ｍ以下の範囲に配置されている、請求項１〜６のいずれかに記載のゴルフクラブ。
【請求項８】
前記錘の質量が１２ｇ以上４０ｇ以下である、請求項７に記載のゴルフクラブ。
【請求項９】
前記錘がタングステン含有プリプレグからなる、請求項７または８に記載のゴルフクラブ。
【手続補正８】
【補正対象書類名】図面
【補正対象項目名】図１４
【補正方法】変更
【補正の内容】
【図１４】
2011235024.tif 000025